(57)【特許請求の範囲】
【請求項１】
筺体内部に設けられて消火ノズルの先端側を上方に向けて着脱可能に保持するノズルキャッチと、該ノズルキャッチに前記消火ノズルを保持した状態で、該消火ノズルの先端面を覆うノズルカバーを備えた消火栓装置であって、
前記ノズルカバーは、前記筺体内部の取付面に固定される固定片部と、該固定片部に回動可能に連結されたカバー体とを有してなり、
前記カバー体が下方に向かって回動する回動範囲を規制して前記カバー体に所定の姿勢を保持させる姿勢保持手段を有し、該所定の姿勢は、前記消火ノズルを前記ノズルキャッチに取り付ける際に前記カバー体と前記消火ノズルが干渉して前記消火ノズルを前記ノズルキャッチに保持させることができない姿勢であることを特徴とする消火栓装置。
【請求項２】
前記姿勢保持手段は、前記固定片部が取り付けられた取付面から突出して前記カバー体の下面と当接することで前記カバー体の回動を規制する突出部材であることを特徴とする請求項１記載の消火栓装置。
【請求項３】
前記姿勢保持手段は、前記カバー体に設けられて下方に延出する延出部であり、該延出部は、前記カバー体が下方に向かって回動した際に、前記筺体内部のいずれかの部位に当接して前記カバー体を所定の姿勢に保持することを特徴とする請求項１記載の消火栓装置。
【請求項４】
前記姿勢保持手段は、前記ノズルキャッチによって構成され、前記カバー体が下方に向かって回動した際に、前記ノズルキャッチが前記カバー体に当接して前記カバー体を所定の姿勢に保持することを特徴とする請求項１記載の消火栓装置。
【発明の詳細な説明】
【技術分野】
【０００１】
本発明は、トンネル等に設置される消火栓装置に関する。
【背景技術】
【０００２】
トンネル等に設置される消火栓装置は、扉開放時においても扉が車両の通行の邪魔にならないようにするために、扉が前方に回動するのではなく、下方にスライドして下降する下降扉を備えたものが知られている（特許文献１参照）。
【０００３】
消火栓装置内には、巻き回されたホースの先端に消火ノズルが取り付けられているが、消火ノズルは使用時に取り外し易いようにノズルキャッチという部材に着脱可能に保持されている。
扉が前方に回動する場合には、ノズルキャッチが扉の背面側に取り付けられる場合もあるが、特許文献１に開示された消火栓装置のように下降扉の場合にはノズルキャッチを扉に設けることができない。
この場合、ノズルキャッチを本体側に設け、取り出しを容易にするため消火ノズルの先端を上方に向けた状態でノズルキャッチに保持される。
【０００４】
消火ノズルの先端は開口しているため、この開口が上を向いた状態で保持されていると粉塵が消火ノズルに浸入する。そこで、これを防止するために、消火ノズルの上端の開口を覆うカバー体を設けることが行われている。
特に、泡消火栓の場合には、粉塵が泡消火薬剤の発泡に悪影響を与えるためカバー体を設けることが好ましいとされている。
【先行技術文献】
【特許文献】
【０００５】
【特許文献１】特開２００６−１８１０５７号公報
【発明の概要】
【発明が解決しようとする課題】
【０００６】
発明が解決しようとする課題を説明する前に、本発明の特徴であるノズルカバーが設置される消火栓装置の構成を概説する。
消火栓装置１００は、図１１〜図１３に示すように、箱状の筺体３と、筺体３の前面に設けられた開口部５ａを有する前面パネル５と、前面パネル５の開口部５ａに開閉可能に設けられた下降式扉７とを備えている。
【０００７】
筺体３内には、図１１〜図１３に示すように、内巻きに巻き回されたホース８を収納するホース収納部９が設けられている。また、筺体３内には、ホース収納部９の右側に、消火栓弁や自動調圧弁を有する配管系統１１が設けられている。配管系統１１は、先端側がホース８の基端側と接続されるとともに、基端側が図示しない給水源に接続されている。
【０００８】
ホース収納部９は、本体３の内壁上面から内壁下面に至る２本の棒状体１３と、棒状体１３から本体３の内壁背面に至る略Ｌ字状に屈曲した２枚の帯板１５とを備えて構成されている。そして、２本の棒状体１３の間からホース８が引き出される。
前面パネル５は、筺体３の前面に設けられ、ホース８が引き出される前方の部位に開口部５ａが形成され、この開口部５ａを閉鎖可能に下降式扉７が取り付けられている。
【０００９】
ホース８の先端部には消火ノズル１６が取り付けられ、収納状態では、図１１、図１２に示すように、筺体３の内部に固定されたノズルキャッチ１７によって消火ノズル１６は先端を上方に向けて着脱可能に保持されている。
下降式扉７は図１４（ｂ）に示すように、前面パネル５に沿って下方に移動し、下降式扉７を開放した状態では図１４（ａ）に示すように、ノズルキャッチ１７に保持されている消火ノズル１６が取り外し可能な状態で見えるようになっている。
また、ノズルキャッチ１７に保持された消火ノズル１６のすぐ上方には、ホース８に注水することなく消火栓の放水圧力の確認試験ができるようにするためのメンテナンス弁１９が設けられている。
【００１０】
上記のように構成された消火栓装置１００において、例えば、図１５に示すように、消火ノズル１６をノズルキャッチ１７に保持させた状態で、消火ノズル１６の上端面を覆うノズルカバー１０１を筺体３の内部に取り付けたとする。
この場合、メンテナンス弁１９に試験用ホース２１を取り付ける際に、ノズルカバー１０１が邪魔になってメンテナンス弁１９に試験用ホース２１が取り付かず、メンテナンス弁１９を使用できないことになる。特に、筺体３の薄型化が行われると、筺体３内のスペースが小さくなってこの傾向が大きい。
【００１１】
このような状態を回避するため、ノズルカバー１０１を筺体３の内部において着脱可能に取り付け、メンテナンス弁１９の使用時には図１６に示すように、ノズルカバー１０１を取り外すようにすることが考えられる。（消火ノズル１６は、試験用ホース２１の先端に取り付けて試験を行う。）ところが、ノズルカバー１０１を取り外してメンテナンス弁１９による試験を行った後、消火ノズル１６を再度ノズルキャッチ１７に保持させる際に、ノズルカバー１０１を取り付けるのを忘れるという事態が起こり得る。
ノズルカバー１０１を取り付けることを忘れると、前述したように、消火ノズル１６に粉塵等が堆積して消火活動に支障をきたすことが考えられる。
【００１２】
本発明はかかる課題を解決するためになされたものであり、メンテナンス弁の使用時等には邪魔にならず、かつ消火ノズルをノズルキャッチに保持させる際にはノズルカバーによって消火ノズルの上端面を覆うことを忘れることがないノズルカバーを備えた消火栓装置を提供することを目的としている。
【課題を解決するための手段】
【００１３】
（１）本発明に係る消火栓装置は、筺体内部に設けられて消火ノズルの先端側を上方に向けて着脱可能に保持するノズルキャッチと、該ノズルキャッチに前記消火ノズルを保持した状態で、該消火ノズルの先端面を覆うノズルカバーを備えた消火栓装置であって、前記ノズルカバーは、前記筺体内部の取付面に固定される固定片部と、該固定片部に回動可能に連結されたカバー体とを有してなり、前記カバー体が下方に向かって回動する回動範囲を規制して前記カバー体に所定の姿勢を保持させる姿勢保持手段を有し、該所定の姿勢は、前記消火ノズルを前記ノズルキャッチに取り付ける際に前記カバー体と前記消火ノズルが干渉して前記消火ノズルを前記ノズルキャッチに保持させることができない姿勢であることを特徴とするものである。
【００１４】
（２）また、上記（１）に記載のものにおいて、前記姿勢保持手段は、前記固定片部が取り付けられた取付面から突出して前記カバー体の下面と当接することで前記カバー体の回動を規制する突出部材であることを特徴とするものである。
【００１５】
（３）また、上記（１）に記載のものにおいて、前記姿勢保持手段は、前記カバー体に設けられて下方に延出する延出部であり、該延出部は、前記カバー体が下方に向かって回動した際に、前記筺体内部のいずれかの部位に当接して前記カバー体を所定の姿勢に保持することを特徴とするものである。
【００１６】
（４）また、上記（１）に記載のものにおいて、前記姿勢保持手段は、前記ノズルキャッチによって構成され、前記カバー体が下方に向かって回動した際に、前記ノズルキャッチが前記カバー体に当接して前記カバー体を所定の姿勢に保持することを特徴とするものである。
【発明の効果】
【００１７】
本発明においては、ノズルカバーは、前記筺体内部の取付面に固定される固定片部と、該固定片部に回動可能に連結されたカバー体とを有してなり、前記カバー体が下方に向かって回動する回動範囲を規制して前記カバー体に所定の姿勢を保持させる姿勢保持手段を有し、該所定の姿勢は、前記消火ノズルを前記ノズルキャッチに取り付ける際に前記カバー体と前記消火ノズルが干渉して前記消火ノズルを前記ノズルキャッチに保持させることができない姿勢であることにより、ノズルキャッチから消火ノズルを外した状態ではカバー体を下方に向けて回動させることでメンテナンス弁の使用時等にはカバー体が邪魔にならず、またノズルキャッチに消火ノズルを保持させる際にはカバー体を上方に回動させて消火ノズルの上端を覆える状態にしなければ消火ノズルを保持させることができないので、ノズルキャッチに保持させる際にはノズルカバーによって消火ノズルの上端面を覆うことを忘れないという効果を奏する。
【図面の簡単な説明】
【００１８】
【図１】本発明の実施の形態１に係る消火栓装置の一部を拡大して示す図である。
【図２】図１に示した消火栓装置に用いるノズルカバーの斜視図である。
【図３】本発明の実施の形態１に係る消火栓装置であって、消火ノズルを取り外した状態を示す図である。
【図４】本発明の実施の形態１に係る消火栓装置における姿勢保持手段の機能を説明する説明図である。
【図５】本発明の実施の形態２に係る消火栓装置の一部を拡大して示す図である。
【図６】本発明の実施の形態２に係る消火栓装置であって、消火ノズルを取り外した状態を示す図である。
【図７】本発明の実施の形態３に係る消火栓装置の一部を拡大して示す図である。
【図８】本発明の実施の形態３に係る消火栓装置であって、消火ノズルを取り外した状態を示す図である。
【図９】本発明の実施の形態４に係る消火栓装置の一部を拡大して示す図である。
【図１０】本発明の実施の形態４に係る消火栓装置であって、消火ノズルを取り外した状態を示す図である。
【図１１】本発明が解決しようとする課題を説明するための図であって、本発明のノズルカバーが取り付けられる消火栓装置の正面図である。
【図１２】本発明が解決しようとする課題を説明するための図であって、本発明のノズルカバーが取り付けられる消火栓装置の側面図である。
【図１３】本発明が解決しようとする課題を説明するための図であって、本発明のノズルカバーが取り付けられる消火栓装置の平面図である。
【図１４】図１１の一部を拡大して示す図（図１４（ａ））と、下降式扉の動作説明図（図１４（ｂ））である。
【図１５】本発明が解決しようとする課題を説明するための図であって、保持状態の消火ノズルとメンテナンス弁との配置関係を説明する図である。
【図１６】本発明が解決しようとする課題を説明するための図であって、メンテナンス弁の使用状態を説明する図である。
【発明を実施するための形態】
【００１９】
［実施の形態１］
本実施の形態に係る消火栓装置１の基本構造は、図１１〜図１３に示したものと同様なので、以下においては本発明の特徴部分について、図１〜図４に基づいて説明する。なお、図１〜図４において、図１１〜図１３に示したものと同一部分には同一の符号を付してある。
【００２０】
本実施の形態に係る消火栓装置１は、筺体３の内部に設けられて消火ノズル１６の先端側を上方に向けて着脱可能に保持するノズルキャッチ１７と、ノズルキャッチ１７に消火ノズル１６を保持した状態で、消火ノズル１６の先端面を覆うノズルカバー２３と、ノズルカバー２３におけるカバー体３１（図２参照）の姿勢を所定の姿勢に保持する姿勢保持手段としての突出部材２５とを備えている。
【００２１】
＜ノズルキャッチ＞
ノズルキャッチ１７は、ホース８の収納時において、ホース８の先端に設けられた消火ノズル１６を保持するものであり、図１の拡大図に示すように、全体の形状がＣ形状を有するように形成されている。ノズルキャッチ１７は、図１に示すように、板面が水平方向になるようにして、筺体３内の取付面２７に固定されている。
【００２２】
＜ノズルカバー＞
ノズルカバー２３は、図２に示すように、取付面２７に固定される固定片部２９と、固定片部２９に回動可能に連結されたカバー体３１とを有している。固定片部２９を本体側に固定した状態では、カバー体３１は自重によって回動するようになっている。もっとも、自重によっては回動せず、人が手で回動させるようなものであってもよい。
【００２３】
＜突出部材＞
突出部材２５は、本発明の姿勢保持手段として機能するものであり、図１に示すように、固定片部２９が固定される取付面２７から突出するように設けられている。
【００２４】
上記のように構成された本実施の形態の消火栓装置１においては、消火ノズル１６をノズルキャッチ１７に保持させた状態では、図１に示すように、ノズルカバー２３のカバー体３１の下面が消火ノズル１６の上端面に当接して消火ノズル１６の端面を覆う。これによって、消火ノズル１６に粉塵が堆積するのを防止できる。
なお、図１に示すように、突出部材２５の先端面が消火ノズル１６に近接しているが、消火ノズル１６をノズルキャッチ１７に保持させるのに障害になることはない。
【００２５】
消火ノズル１６をノズルキャッチ１７から外すと、図３に示すように、カバー体３１が自重によって回動して下面が突出部材２５の先端面に当接した状態で姿勢保持される。このとき、メンテナンス弁１９の下方はカバー体３１が回動したことで、空間が形成されており、図１６に示すように、メンテナンス弁１９に試験用ホース２１および消火ノズル１６を取り付けて使用することが可能になっている。
【００２６】
図４に示すように、カバー体３１が折り畳まれた状態で消火ノズル１６をノズルキャッチ１７に挿入しようとすると、カバー体３１が邪魔になって消火ノズル１６をノズルキャッチ１７に挿入することができない。そのため、使用者は、カバー体３１を手で持ち上げて消火ノズル１６をノズルキャッチ１７に挿入しなければならない。このように、消火ノズル１６をノズルキャッチ１７に保持させる際には、必ずカバー体３１が消火ノズル１６の上端面を覆うことになり、消火ノズル１６の上端面をノズルカバー２３で覆うことを忘れない。
【００２７】
以上のように、本実施の形態によれば、消火ノズル１６の上端面をカバー体３１で覆うのを忘れることがなく、かつ消火ノズル１６をノズルキャッチ１７から取り外した際にはカバー体３１が自重によって折り畳まれるので、メンテナンス弁１９の使用には障害となることがない。
なお、前述したように、カバー体３１が自重によって回動しなくても、手で押し下げることで回動するようなものであってもよい。
【００２８】
［実施の形態２］
本実施の形態２は、姿勢保持手段をカバー体３１の端部に設けた屈曲片部３１ａで構成したものである（図５、図６参照）。屈曲片部３１ａは本発明のカバー体に設けた延出部に相当する。
図５に示すように、ノズルキャッチ１７に消火ノズル１６を保持させた状態では、実施の形態１と同様に、カバー体３１の下面が消火ノズル１６の上端面に当接した状態で消火ノズル１６の上端面を覆う。このとき、屈曲片部３１ａは消火ノズル１６の側面の一部を覆っている。
【００２９】
図６に示すように、ノズルキャッチ１７から消火ノズル１６を取り外した状態では、カバー体３１は自重で回動して屈曲片部３１ａの下端が取付面２７に当接して、カバー体３１は斜めになった状態で姿勢保持される。このとき、図６に示すように、メンテナンス弁１９の下方はカバー体３１が回動したことで、空間が形成されており、メンテナンス弁１９を使用することが可能になっている。
この状態で、消火ノズル１６をノズルキャッチ１７に挿入しようとすると、カバー体３１が邪魔になって消火ノズル１６をノズルキャッチ１７に保持させることはできない。
【００３０】
以上のように、本実施の形態２においても、実施の形態１と同様の効果を奏することができる。
なお、上記の説明では、延出部の例として、屈曲片部３１ａをカバー体３１の先端部に設ける例を示したが、本発明はこれに限定されるものではなく、カバー体３１に設けられており、それが下方に延出する部材であれば、その設けられる位置は特に限定されない。例えば、カバー体３１の周縁から下方に延出する延出片をカバー体３１の端部のみでなく、側辺にも設けるようすれば、消火ノズル１６をカバーした際に、消火ノズル１６の上端面のみならならず側面の一部もカバーできるので、より粉塵が入り難くなるという効果がある。
【００３１】
また、上記の説明では、ノズルカバー２３における固定片部２９を垂直方向に立ち上がる壁面を取付面２７としてこれに固定する例であったが、図７、図８に示すように、固定片部２９を水平方向に配置された天井面を取付面２７としてこれに固定してもよい。
この場合、図８に示すように、消火ノズル１６を取り外した状態では、カバー体３１が下方に垂れ下がることになるが、この状態でノズルキャッチ１７に消火ノズル１６を挿入しようとすると、カバー体３１が消火ノズル１６に押され、屈曲片部３１ａが垂直方向に立ち上がる壁面に当接してそれ以上消火ノズル１６をノズルキャッチ１７に押し込むことができず、屈曲片部３１ａは姿勢保持手段としての機能を発揮し得る。
【００３２】
［実施の形態３］
本実施の形態３は、姿勢保持手段をノズルキャッチ１７によって構成したものである。ノズルカバー２３の基本形状は、実施の形態１と同様であり、実施の形態１と同一の符号を付しているが、カバー体３１の延出長さが実施の形態１のものよりも長く設定されている。
【００３３】
消火ノズル１６をノズルキャッチ１７に保持させた状態では、図９に示すように、カバー体３１が消火ノズル１６の上端面を覆い、消火ノズル１６をノズルキャッチ１７から外した状態では、図１０に示すように、カバー体３１の先端がノズルキャッチ１７に当接して斜めの姿勢を保持することになる。このため、この状態でノズルキャッチ１７に消火ノズル１６を挿入することができず、実施の形態１と同様の効果を奏することができる。
【００３４】
なお、上記の説明では消火栓装置における前面パネル５に開口部５ａに開閉可能に取り付けられる扉体について下降式扉７を例示しているが、本発明の消火栓装置において扉体の形式は特に限定されることはない。
【符号の説明】
【００３５】
１  消火栓装置
３  筺体
５  前面パネル
５ａ  開口部
７  下降式扉
８  ホース
９  ホース収納部
１１  配管系統
１３  棒状体
１５  帯板
１６  消火ノズル
１７  ノズルキャッチ
１９  メンテナンス弁
２１  試験用ホース
２３  ノズルカバー
２５  突出部材
２７  取付面
２９  固定片部
３１  カバー体
３１ａ  屈曲片部
１００  消火栓装置（従来例）
１０１  ノズルカバー（仮想例）
【図１】
0006568792.tif 000002
【図２】
0006568792.tif 000003
【図３】
0006568792.tif 000004
【図４】
0006568792.tif 000005
【図５】
0006568792.tif 000006
【図６】
0006568792.tif 000007
【図７】
0006568792.tif 000008
【図８】
0006568792.tif 000009
【図９】
0006568792.tif 000010
【図１０】
0006568792.tif 000011
【図１１】
0006568792.tif 000012
【図１２】
0006568792.tif 000013
【図１３】
0006568792.tif 000014
【図１４】
0006568792.tif 000015
【図１５】
0006568792.tif 000016
【図１６】
0006568792.tif 000017